(57)【要約】本発明は、移動端末の間にピア・ツウ・ピア通信を確立するための無線通信ネットワークシステムを提供する。２つの移動端末の間でピア・ツウ・ピア通信が確立できることを決定すると、この無線システムはこれら移動端末の各々にこれら移動端末の他方の端末によって用いられる無線資源に関する情報を送信する。各移動端末は、すると、この無線資源情報を用いてこれら移動端末の他方の端末とネットワークシステムとの間のある専用のアップリンクチャネルの特性をテストする。こうして、チャネルのテストのために別個の無線チャネルを割当てる必要はなくなる。更に、各移動端末は、これら端末の他方の端末とのピア・ツウ・ピア通信においてある専用の無線チャネルを確立するために、それまで自身によってネットワークシステムとの通信のために専用のアップリンクチャネル上で用いられていたそれと同一の無線資源を用いる。こうして、この無線システムは、このピア・ツウ・ピア通信を確立するために追加の無線資源を割当てることを必要とせず、このため、無線資源の再割り当てスキームが簡素化でき、一方において、チャネルの品質はテストされたそれと同一であることが確保される。
2006520157.tif 000002
【特許請求の範囲】
【請求項１】
無線ネットワークシステムによってピア・ツウ・ピア通信を確立するために遂行される方法であって、
（a）ある移動端末からもう一つの移動端末とのピア・ツウ・ピア通信を確立することに対するリクエストを受信するステップと、
（b）これら移動端末の間でピア・ツウ・ピア通信を確立できるか否かを決定するステップと、
（c）もし前記ピア・ツウ・ピア通信を確立できるときは、これら移動端末の他方の端末とこのネットワークシステムとの間のある専用のアップリンクチャネルの特性のテストを開始するために制御コマンドを含む第一のグループの情報をこれら移動端末の各々に送信するステップと、
（d）これら移動端末から前記チャネル特性に関する状態報告を受信するステップと、
（e）これら移動端末の各々によってテストされた前記チャネル特性が予め設定された要件を満たすか否かを決定するステップと、
（f）もしこれら移動端末の両方によってテストされたこれらチャネル特性が、前記予め設定された要件を満たすときは、ピア・ツウ・ピア通信を開始するために制御コマンドを含む第二のグループの情報をこれら移動端末に送信するステップと、
を含む方法。
【請求項２】
ステップ（b）は
(i）これら２つの端末間の距離を推定するステップと、
(ii)この距離がピア・ツウ・ピア通信に対するある許容レンジ内であるか否か決定するステップと、
を含む請求項１記載の方法。
【請求項３】
前記第一のグループの情報は、これら移動端末の他方の端末によってこのネットワークシステムと通信するために前記専用のアップリンク制御上で現在用いられている無線資源に関する情報を更に含む請求項１記載の方法。
【請求項４】
これら無線資源に関する前記情報は、タイムスロットと拡散符号とを含む請求項３記載の方法。
【請求項５】
前記第二のグループの情報は、これら端末の各々が、これら移動端末の他方の端末とピア・ツウ・ピア通信においてある専用の無線チャネルを確立するために、それまで自身によってこのネットワークシステムとの通信のために前記専用のアップリンクチャネル上で用いられていたそれと同一の無線資源を用いることを可能にするための制御コマンドを更に含む請求項１記載の方法。
【請求項６】
前記第二のグループの情報は、クロック情報を更に含む請求項１記載の方法。
【請求項７】
ある移動端末によってもう一つの移動端末とのピア・ツウ・ピア通信を確立するために遂行される方法であって、
（a）無線ネットワークシステムに他方の端末とのピア・ツウ・ピア通信を確立することに対するリクエストを送信するステップと、
（b）前記ネットワークシステムから前記他方の移動端末と前記ネットワークシステムとの間のある専用のアップリンクチャネルの特性のテストを開始するために制御コマンドを含む第一のグループの情報を受信するステップと、
（c）前記他方の移動端末によって前記専用のアップリンクチャネルを通じて送信される信号を傍聴するステップと、
（d）前記チャネル特性がある予め設定された要件を予め決定された期間について満たすか否かを決定するステップと、
（e）もしこれらチャネル特性が前記予め設定された要件を前記予め決定された期間について満たすときは、状態報告を前記ネットワークシステムに送信するステップと、
（f）前記ネットワークシステムから前記他方の移動端末とのピア・ツウ・ピア通信を確立するために制御コマンドを含む第二のグループの情報を受信するステップと、
を含む方法。
【請求項８】
前記他方の移動端末とのピア・ツウ・ピア通信が確立された後に、前記ネットワークシステムとの全ての専用のチャネルを切断するステップを更に含む請求項７記載の方法。
【請求項９】
前記第一のグループの情報は、前記他方の端末によって前記ネットワークシステムとの通信のために前記専用のアップリンクチャネル上で現在用いられている無線資源に関する情報を更に含む請求項７記載の方法。
【請求項１０】
これら無線資源に関する前記情報は、タイムスロットと拡散符号とを含む請求項９記載の方法。
【請求項１１】
前記他方の端末とのピア・ツウ・ピア通信において、ある専用の無線チャネルを、それまで自身によって前記ネットワークシステムと通信するために前記専用のアップリンクチャネル上で用いられていたそれと同一の無線資源を用いて、確立するステップを更に含む請求項９記載の方法。
【請求項１２】
ステップ（d）は
(i)前記他方の移動端末と前記ネットワークシステムとの間の前記専用のアップリンクチャネルに関して、信号対干渉（SIR）比を計算するステップと、
(ii)前記SIRが前記予め設定された要件を満たすか否か決定するステップと、を含む請求項７記載の方法。
【請求項１３】
ステップ（d）は更に
(iii)タイマをセットするステップと、
(iv)前記タイマを、前記SIRが前記要件を満たす限り、前記タイマが零までカウントするまで、連続してカウントダウンするように、始動するステップと、を含む請求項１２記載の方法。
【請求項１４】
前記ステップ（d）は更に
(v)前記移動端末の伝送電力を調節するステップと、
(vi)前記SIRが前記要件を満たすことに失敗したとき、前記タイマをリセットするステップと、を含む請求項１３記載の方法。
【請求項１５】
移動端末の間にピア・ツウ・ピア通信を確立するための無線ネットワークシステムであって、
ある移動端末からもう一つの移動端末とのピア・ツウ・ピア通信を確立することに対するリクエストを受信するための手段と、
前記ピア・ツウ・ピア通信を確立できるか否かを決定するための手段と、
これら移動端末の各々にこれら移動端末の他方の端末と前記ネットワークシステムとの間のある専用のアップリンクチャネルの特性のテストを開始するために制御コマンドを含む第一のグループの情報を送信する送信手段であって、もし前記ピア・ツウ・ピア通信が確立できるときは前記情報を送信する送信手段と、
これら移動端末の各々によってテストされ前記受信手段によって受信された前記チャネルの特性がある予め設定された要件を満たすか否かを決定するための手段と、
を含み、
前記送信手段は、もしこれら移動端末の両方によってテストされた前記チャネルの特性が前記予め設定された要件を満たすときは、ピア・ツウ・ピア通信を開始するために制御コマンドを含む第二のグループの情報をこれら移動端末に送信する無線ネットワークシステム。
【請求項１６】
前記決定手段は、
これら移動端末間の距離を推定するための手段と、
その距離がある許容レンジ内であるか否かを決定するための手段と、
を更に含む請求項１５記載のシステム。
【請求項１７】
前記第一のグループの情報は、これら移動端末の他方の端末によってこのネットワークシステムと通信するために前記専用のアップリンク制御上で現在用いられている無線資源に関する情報を更に含む請求項１５記載のシステム。
【請求項１８】
これら無線資源に関する前記情報は、タイムスロットと拡散符号とを含む請求項１７記載のシステム。
【請求項１９】
前記第二のグループの情報は、更に、これら端末の各々が、これら移動端末の他方の端末とピア・ツウ・ピア通信においてある専用の無線チャネルを確立するために、それまで自身によってこのネットワークシステムとの通信のために前記専用のアップリンクチャネル上で用いられていたそれと同一の無線資源を用いることを可能にするための制御コマンドを含む請求項１７記載のシステム。
【請求項２０】
移動端末であって、
他方の端末とのピア・ツウ・ピア通信を確立することに対するリクエストを無線ネットワークシステムに送信するための手段と、
前記ネットワークシステムから他方の移動端末と前記ネットワークシステムとの間のある専用のアップリンクチャネルの特性のテストを開始するために制御コマンドを含む第一のグループの情報を受信するための手段と、
前記他方の移動端末によって前記専用のアップリンクチャネルを通じて送信される信号を傍聴するための手段と、
これらチャネルの特性がある予め設定された要件を予め決定された期間について満たすか否かを決定するための手段と、を含み、
前記送信手段は、もしこれらチャネルの特性が前記予め設定された要件を前記予め決定された期間について満たすときは、状態報告を前記ネットワークシステムに送信する移動端末。
【請求項２１】
もし前記受信手段が前記ネットワークシステムから制御コマンドを含む第二のグループの情報を受信したときは、前記他方の移動端末とのピア・ツウ・ピア通信を開始するための手段を更に含む請求項２０記載の端末。
【請求項２２】
前記他方の移動端末とのピア・ツウ・ピア通信が確立された後に、前記ネットワークシステムとの全ての専用のチャネルを切断するための手段を更に含む請求項２１記載の端末。
【請求項２３】
前記第一のグループの情報は、前記他方の端末によって前記ネットワークシステムとの通信のために前記専用のアップリンクチャネル上で現在用いられている無線資源に関する情報を更に含む請求項２１記載の端末。
【請求項２４】
これら無線資源に関する前記情報は、タイムスロットと拡散符号とを含む請求項２３記載の端末。
【請求項２５】
前記送信手段は、ピア・ツウ・ピア通信において、情報を前記他方の移動端末に、それまで自身によって前記ネットワークシステムと通信するために前記専用のアップリンクチャネル上で用いられていたそれと同一の無線資源を用いて確立されたある専用の無線チャネル介して送信する請求項２３記載の端末。
【請求項２６】
前記決定手段は、
前記他方の移動端末と前記ネットワークシステムとの間の前記専用のアップリンクチャネルに関して、信号対干渉（SIR）比を計算し、次に、そのSIRが前記予め設定された要件を満たすか否か決定する請求項２０記載の端末。
【発明の詳細な説明】
【技術分野】
【０００１】
本発明は一般的には無線通信システム、とりわけ、ピア・ツウ・ピア通信のための自己組織化無線通信ネットワークシステムに係る。
【背景技術】
【０００２】
２つの移動端末間のピア・ツウ・ピア通信（peer-to-peer communication）は、公衆地上移動ネットワーク（public land mobile network）内においてこれら２つの移動端末間の直接のリンクを提供する。この直接のリンクが確立されると、基地局とこれら移動端末との間の専用のリンクについては切断することができ、他方、共通の制御チャネル（CCCH(common control channel)）が維持される。こうすることで、このシステムに対する少なくとも２つの無線チャネルを節約できるとともに、エンド・ツウ・エンド遅延（end-to-end delay）を低減することができる。
【０００３】
現存する３Gシステムの内で、ピア・ツウ・ピア通信の用途に最も適するシステムは、TDD CDMAシステムであるが、これは、アップリンクおよびダウンリンク通信の両方において同じ搬送波周波数が用いられ、このため移動端末のRFモジュールを簡素化できるためである。加えて、ピア・ツウ・ピア通信技術を適用することで、TDD CDMAシステムの幾つかの固有の短所、例えば、拡散符号の不足、小さなカバレッジ等も克服することができる。このTDD CDMAシステムの一例は、TD-SCDMAシステムであるが、これは中国において一層の人気を得ている。
【０００４】
２つの移動端末の間にある直接のリンクを確立するためには、これら２つの移動端末は、最初に、互いからの信号を正しく受信できなければならない。このため、この直接のリンクを確立する前に、これら２つの移動端末は、これら自身の間のチャネル特性をテストしなければならない。一つのスキームにおいては、無線通信ネットワークシステムは、このテストのために別個のチャネルを割当てる。この直接のリンクが確立された後、この無線システムは、そのピア・ツウ・ピア通信に対して追加の無線チャネルを割当てる。しかし、これら目的に対するこれらチャネル割当ては、既に不足している貴重な無線資源を持ち去る。こうして、もしこれら無線資源が使い尽くされたときは、このテストのために別個のチャネルを割当てることができなくなる。このピア・ツウ・ピア通信に追加の無線チャネルを割当てることで、これは、加えて、無線資源再割り当てスキームを複雑なものにもする。更に、このテストは、これら移動端末の間にこれら新たに割当てられたチャネルに関して直接には遂行されないために、これら新たなチャネルの特性も直接の通信に対する要件を満たす保証はない。
【０００５】
従って、無線通信システムにおいてピア・ツウ・ピア通信に対する信頼できる直接のリンクを確立するための改善されたシステムに対する必要性がある。
【発明の開示】
【０００６】
本発明は、上で記述された制約に対処する、移動端末の間でピア・ツウ・ピア通信を確立するための単純で効果的な解を提供する。
【０００７】
本発明の一つの実施例によると、ある移動端末からのもう一つの移動端末とのピア・ツウ・ピア通信を確立することに対するリクエストを受信すると、無線ネットワークシステムは、これらの間でピア・ツウ・ピア通信が確立できるか否かを決定する。もしこれらの間でピア・ツウ・ピア通信を確立できるときは、このネットワークシステムは、これら移動端末の他方の端末とネットワークシステムとの間のある専用のアップリンクチャネルの特性のテストを開始するために制御コマンドを含む第一のグループの情報をこれら移動端末の各々に送信する。この第一のグループの情報は、加えて、これら移動端末の他方の端末によってこのネットワークシステムと通信するためにその専用のアップリンク制御上で現在用いられている資源に関する情報も含む。これは、各移動端末が他方の移動端末によってこのネットワークシステムとのある専用のアップリンクチャネル上に送信された信号をチャネルテストのために傍受することを可能にする。こうして、これら２つの移動端末間にピア・ツウ・ピア通信を確立するためのチャネルテストのために、別個の無線チャネルを割当てることは要求されない。
【０００８】
本発明のこの実施例によると、これら移動端末からこれらチャネル特性に関する状態報告を受信すると、このネットワークシステムは、これら移動端末の各々によってテストされたこれらチャネル特性がある予め設定された要件を満たすか否か決定する。もしこれら移動端末の両方によってテストされたこれらチャネル特性がこの予め設定された要件を満たすときは、このネットワークシステムは、ピア・ツウ・ピア通信を始動するために、制御コマンドを含む第二のグループの情報をこれら移動端末に送信する。この第二のグループの情報は、加えて、これら移動端末が、これら移動端末の他方の端末とのピア・ツウ・ピア通信におけるある専用の無線チャネルを確立するために、それまで自身によってこのネットワークシステムとの通信のためにその専用のアップリンクチャネル上で用いられていたそれと同一の無線資源を用いることを可能にする制御コマンドも含む。こうして、このネットワークシステムは、このピア・ツウ・ピア通信を確立するために、追加の無線資源を割当てることを必要とせず、こうして、この無線資源再割り当てスキームを簡素化し、同時に、これらチャネルの品質がテストされたそれと同一であることを確保する。
【０００９】
以下の説明及びクレームを、添付の図面との関連で参照することで、本発明の他の目的及び成果が明らかとなるとともに、本発明のより完全な理解が得られるものである。
【００１０】
以下では、本発明が、単に一例として、添付の図面を参照しながらより詳細に説明される。これら図面を通じて同一の参照番号は類似する又は対応する特徴又は機能を示す。
【発明を実施するための最良の形態】
【００１１】
図１は本発明の一つの実施例に従う、無線通信ネットワークシステム（例えば、UTRAN(Universal Terrestrial Radio Access Network)）環境内においてピア・ツウ・ピア通信を設定するための初期段階を図解する。あるピア・ツウ・ピア通信リンクが２つの移動端末UE1とUE2との間で確立される前に、無線ネットワークコントローラ（RNC(radio network controller)）１０とノードB（つまり、基地局）１６とを含むこのUTRANは、最初に、UE1とUE2との間の距離がピア・ツウ・ピア通信に対する許容レンジ内であるか否かを決定することとなる。もし許容レンジ内であるときは、これら移動端末の各々は、UTRANと他方のUEとの間の（図１において破線によって示される）専用のアップリンクチャネル、つまりS1又はS２を傍受し、関連するチャネルの特性をテストするようにリクエストされる。もしこれらチャネルの品質が所定の持続期間について直接の通信のための要件を満たすときは、これら移動端末は、当初、基地局とこれら移動端末との間をリンクするために割当てられていた無線資源を、その直接の通信のために用いることを許されることとなる。
【００１２】
図２に示されるように、この直接の通信が確立された後に、UTRANは、基地局とこれら移動端末との間のこれら専用のチャネルを切断することとなる。こうして、このテストのために、専用のチャネルはいっさい割当てられない。更に、基地局は、これら移動端末の間のピア・ツウ・ピア通信のために別個の無線資源を割当てることも必要とされない。
【００１３】
図３は本発明の一つの実施例による、UTRANによって２つの移動端末UE1とUE2との間にピア・ツウ・ピア通信を確立するために遂行される詳細な過程３０を示す。２つのUEからピア・ツウ・ピア通信に対するリクエストを受信すると（ステップＳ３２）、UTRANは、これら２つのUE間の距離の推定を、知られている技術、例えば、到着の時間差（TDOA(Time Difference of Arrival)）を用いて、行う（ステップＳ３４）。UTRANは、次に、こうして推定された距離がピア・ツウ・ピア通信に対する許容レンジ内であるか否かを決定する（ステップＳ３６）。もしこの推定された距離がこの要件を満たさないとき、つまり、これらUEがある信頼できる直接の通信を確立するためには互いに離れ過ぎているときは、UTRANは、そのピア・ツウ・ピア通信は許可しないこととなる。他方、要件が満たされるときは、UTRANは、これらUEの各々に専用のアップリンクチャネルの特性のテストを開始するために制御コマンドを送信することとなる。その後、UTRANは、各UEによってその専用のアップリンクチャネルのために現在用いられている無線資源に関する情報を、他方のUEがチャネル特性のテストを行うことができるように、他方のUEに送信する（ステップＳ４６）。
【００１４】
このテストの後、これらUEは、これらテストの結果を含む状態報告をUTRANに送信することとなる。これらUEからこれら状態報告を受信すると（ステップＳ５２）、UTRANは、これらテストの結果がピア・ツウ・ピア通信に対する要件を満たすか否かを決定する（ステップＳ５６）。とりわけ、UTRANは、これらテストの結果内に含まれる関連するSIRがピア・ツウ・ピア通信に対する、UTRANによってフレーム誤り率（FER(frame error rate)）に従って動的に調節される、SIR要件を満たすか否かを決定することとなる。もし、要件を満たさないときは、これら２つのUE間のピア・ツウ・ピア通信に対するこのリクエストは否定される。他方、これらがこの要件を満たすときは、UTRANは、ピア・ツウ・ピア通信を設定するためのクロック及び他の情報をこれらUEに送信することとなる（ステップＳ６２）。このクロック情報は、これら２つのUEによって、これら相互の同期化のために用いられることとなる。UTRANは、更に、制御コマンドを、ピア・ツウ・ピア通信を先導するため、及び各UEの専用のアップリンクと下りリックチャネルを切断するために、ダウンリンク信号経路を通じてこれらUEに送信する（ステップＳ６６）。
【００１５】
図４は、本発明の一つの実施例による、ある移動端末によって、UTRANに対してもう一つの移動端末とのあるピア・ツウ・ピア通信リンクを確立することをリクエストするために遂行される過程１００を示す。パワーがオンされ、それがピア・ツウ・ピア通信をサポートすることが決定された後、呼を開始する方のUEは、ピア・ツウ・ピア通信に対するリクエストをUTRANに送信する（ステップＳ１０２）。UTRANが、これら２つのUEが互いに直接に通信できることを決定した後、各UEは、制御コマンドを、他方のUEの専用のアップリンクチャネルの特性のテストを開始するためにUTRANから受信することとなる（ステップＳ１０４）。各UEは、加えて、これらチャネル特性をテストするために、UTRANから、他方のUEによって専用のアップリンクのために現在用いられている無線資源に関する情報も受信する（ステップＳ１０６）。これら無線資源は、その他方のUEに割当てられている関連するタイムスロットと拡散符号、並びに、搬送波周波数を含む。
【００１６】
このテストが始まる前に、各UEは、内部タイマを所定の時間期間に、その時間期間についてこれらチャネル特性をある許容レベルに保つことができるか否かチェックするために設定し、その伝送電力を適当なレベルに調節する（ステップＳ１１２）。これらチャネル特性をテストするためには、各UEは、UTRANによって提供される関連する拡散符号を用いて、他方のUEによってUTRANに専用のアップリンクチャネル上に（つまり、割当てられたタイムスロット内に）送信される信号を傍受する（ステップS１１６）。各UEは、次に、この専用のアップリンクチャネルの信号対干渉比（SIR(signal-to-interference ratio）を計算する。その間、これらUEとUTRANとの間の通信は通常のやり方に維持される。次に、各UEは、関連するSIRが、ピア・ツウ・ピア通信に対する要件を満たすか否か決定する（ステップＳ１２６）。もし、そのSIRがこの要件を任意の時間において満たさないときは、各UEは、その伝送電力を調節し（ステップＳ１２８）、そして、ステップＳ１１２からステップＳ１２２が反復されることとなる。
【００１７】
他方、もし、そのSIRがこの要件を満たすときは、UEは、タイマをカウントダウンのために始動し（ステップＳ１３２）、タイマが零までカウントダウンしたか否かをチェックすることとなる（ステップＳ１３６）。もしタイマが零までカウントダウンされてないときは、SIRが所定時間期間について要件を満たすことを保証するために、ステップＳ１１６からステップＳ１３６が反復されることとなる。タイマが零までカウントダウンした後、UEは、そのテストの結果を含む状態報告をUTRANにアップリンク信号経路を通じて送信する（ステップＳ１４２）。UTRANが、両方のSIRが要件を満たすために、ある信頼できる直接の通信リンクを設定できることを決定した後、UEはUTRANから、制御コマンドを、他方のUEとのピア・ツウ・ピア通信を確立するため、及びUTRANとの専用のアップリンクとダウンリンクチャネルを切断するために受信することとなる（ステップＳ１４６）。各UEは、さらに、UTRANから受信されたクロック情報に基づいて自身のクロックをセットする。このピア・ツウ・ピア通信が確立された後、各UEは、情報を、同一の拡散符号を用いて、元はUTRANとの専用のアップリンクチャネルに割当てられていた同一のタイムスロットにおいて、他方のUEに送信することとなる。
【００１８】
図５は本発明の一つの実施例に従う移動端末２００の基本コンポーネントを示す。移動端末２００は、RFユニット２０２と、ベースバンドプロセッサ２０６と、メモリ２１２と、データ処理ユニット２１６と、複数のピア・ツウ・ピア通信モジュール２２２（つまり、モジュールM1からMn）とを含む。通信モジュール２２２は図４に示されるさまざまなステップを実現する。モジュール２２２の各々はソフトウェアモジュールであっても、ソフトウェアモジュールとハードウェアモジュールとの組合せであっても良い。本発明の一つの好ましい実施例においては、現存の移動端末のハードウェアについては変更されず、一方、これら通信モジュール２２２については全てソフトウェアモジュールとされる。
【００１９】
本発明において用いられるUTRANは、図５に示されるそれと類似の構造を有し、これら対応するモジュール２２２の各々は、図３に示される様々なステップを実現するための、ソフトウェアモジュールとしても良く、又はソフトウェアモジュールとハードウェアモジュールとの組合せとしても良い。このため、この構造は別個には示されない。本発明の一つの好ましい実施例においては、現存の移動端末のハードウェアについては変更されず、一方、これら対応するモジュール２２２については全てソフトウェアモジュールとされる。
【００２０】
上では本発明がTDDベースのシステム内でのUTRANとの関連で解説された。しかしながら、本発明はTDDベースのシステムに制限されない。事実、本発明との関連でどのような無線ネットワークシステムを用いても良い。
【００２１】
本発明が（幾つかの）特定の実施例との関連で説明されたが、当業者においては上の説明から、多くの代替物、修正物及びバリエーションが明らかとなることは確かなことである。従って、全てのこれら代替物、修正物及びバリエーションも添付のクレームの精神及び範囲内に包含されることを意図される。
【図面の簡単な説明】
【００２２】
【図１】本発明の一つの実施例による、無線通信ネットワークシステム環境内においてピア・ツウ・ピア通信を設定するための初期段階を示す図である。
【図２】本発明の一つの実施例による、２つの移動端末間でピア・ツウ・ピア通信が確立された後の段階を示す図である。
【図３】本発明の一つの実施例による、無線通信ネットワークシステム（例えば、UTRAN）によって、２つの移動端末間でピア・ツウ・ピア通信を確立するために遂行される詳細な過程を示す図である。
【図４】本発明の一つの実施例による、ある移動端末によって、UTRANに対してもう一つの移動端末とのピア・ツウ・ピア通信を確立することをリクエストするために遂行される詳細な過程を示す図である。
【図５】本発明の一つの実施例による、ある移動端末の基本コンポーネントを示す図である。
【図１】
2006520157.tif 000003
【図２】
2006520157.tif 000004
【図３】
2006520157.tif 000005
【図４】
2006520157.tif 000006
【図５】
2006520157.tif 000007
【国際調査報告】
2006520157.tif 000008
2006520157.tif 000009